(57)【要約】【課題】  タワシ保持具を狭いシンク内に設置しても、洗い作業の邪魔にならず、且つ、衛生的で耐久性のあるタワシ保持具を提供する。【解決手段】  タワシを置く各種形状、並びに、各種構造よりなる棚と、この棚を固定する固定具とで構成され、且つ、シンク壁面を取付面として装着されるタワシ保持具であって、タワシ保持具の棚に、立てて置かれたタワシを、タワシ保持具の取付面に傾斜させてタワシを保持し、そして、タワシを保持具の取付面に傾斜させる構造をタワシ保持具の棚に設けられるタワシ保持具であることを特徴とする。【選択図】  図１
2011036352.tif 000002
【特許請求の範囲】
【請求項１】
タワシを置く各種形状、並びに、各種構造よりなる棚と、この棚を固定する固定具とで構成され、且つ、シンク壁面を取付面として装着されるタワシ保持具であって、
タワシ保持具の棚に、立てて置かれたタワシを、前記、タワシ保持具の取付面に傾斜させて、前記、タワシを保持することを特徴とするタワシ保持具。
【請求項２】
前記、タワシ保持具の棚に、立てて置かれたタワシを、前記、タワシ保持具の取付面に傾斜させる構造を、前記、タワシ保持具の棚に設けられることを特徴とする請求項１記載のタワシ保持具。
【発明の詳細な説明】
【技術分野】
【０００１】
本発明は、シンク壁面を取付面として装着されるタワシ保持具に関する。
【背景技術】
【０００２】
タワシ保持具は、シンク内に設置しても洗い作業の邪魔にならないものが望まれ、また、衛生面からは水垢やヌメリ等が発生しないものが要求される。
従来、樹脂製のかご状ラックと、吸盤、または、磁石からなる固定具とで構成されるタワシ保持具が見受けられる。
上述のタワシ保持具は、狭いシンク内に設置すると洗い作業の邪魔になり、また、タワシの水切りが悪く、水垢やヌメリ等が発生しやすく、衛生上の課題もある。
【０００３】
次ぎに、バネと、このバネをシンク壁面に固定させる吸盤とで構成されるタワシ保持具が見受けられる。
上述のタワシ保持具は、シンク壁面に吸盤で固定されたバネの力でタワシを挟んで保持する構造であり、頻繁に使用されると、構造上から、バネと吸盤の接続箇所の耐久性に課題が発生する恐れがある。
【０００４】
次ぎに、タワシに吸盤が直接取り付けられ、吸盤をシンク壁面に吸着させてタワシを保持するタワシと吸盤が一体となる構造のものが見受けられる。
上述の、固定具と一体構造型のタワシは、洗い作業時には吸盤が邪魔になり、使い勝手が良くないものと推察される。
【先行技術文献】
【特許文献】
【０００５】
本発明に関連する公知技術として次の特許文献を挙げることができる。
【特許文献１】特開２００５−１３６８０号公報
【特許文献２】特開２００３−２６５３９３号公報
【特許文献３】特開２００２―４７５号公報
【特許文献４】実用新案登録３０３８４３７号
【特許文献５】実用新案登録３０９２５６５号
【特許文献６】実用新案公開平７−２７４４５号公報
【特許文献７】実用新案公開平７−５５３９号公報
【特許文献８】実用新案公開平７−１６７５４号公報
【０００６】
なお、参考資料として次の意匠登録がある。
意匠登録１１８２５８６号
意匠登録１０６３８５２号
意匠登録１２９４７０５号
以上が先行技術文献に関する。
【発明の概要】
【発明が解決しようとする課題】
【０００７】
本発明は、タワシ保持具を狭いシンク内に設置しても、洗い作業の邪魔にならず、且つ、衛生的で耐久性のあるタワシ保持具を提供する。
【課題を解決するための手段】
【０００８】
前記目的を達成する本発明のタワシ保持具は、
タワシを置く各種形状、並びに、各種構造よりなる棚と、この棚を固定する固定具とで構成され、且つ、シンク壁面を取付面として装着されるタワシ保持具であって、
タワシ保持具の棚に、立てて置かれたタワシを、タワシ保持具の取付面に傾斜させて、タワシを保持することを特徴とするタワシ保持具であり、そして、タワシ保持具の棚に、立てて置かれたタワシを、タワシ保持具の取付面に傾斜させる構造を、タワシ保持具の棚に設けられることを特徴とする。
【０００９】
上述により、該タワシ保持具を構成する棚は小型化され、其の棚の構造は、図１、図５のような棚構造体よりなるものである。
なお、該タワシ保持具を構成する固定具は、吸盤や磁石が用いられる。
【発明の効果】
【００１０】
以上説明した本発明は以下の効果が期待される。
本発明のタワシ保持具は、タワシを立てて置くことにより、棚面積の縮小化がなされ、タワシ保持具をシンク壁面に装着しても洗い作業の邪魔にならず、且つ、水切りもよく衛生的で、耐久性がある。
【図面の簡単な説明】
【００１１】
【図１】正面がＬ字形状をすると共に、棚面に段差が設けられた棚と、吸盤よりなる固定具とで構成される本発明のタワシ保持具が、シンク壁面に装着された状態を示す外観図である。
【図２】本発明、図１のタワシ保持具の右側部の要部断面図である。
【図３】本発明、図１のタワシ保持具の棚に、側部が幅厚の長方形のタワシが、縦長に立てられてシンク壁面に傾斜して保持されている状態のタワシ保持具の右側部要部断面図である。
【図４】本発明、図１のタワシ保持具の棚に、側部が幅薄の長方形のタワシが、縦長に立てられてシンク壁面に傾斜して保持されている状態のタワシ保持具の右側部要部断面図である。
【００１２】
【図５】正面がＬ字形状をすると共に傾斜してなる棚と、磁石よりなる固定具とで構成される本発明のタワシ保持具が、シンク壁面に装着された状態を示す外観図である。
【図６】本発明、図５のタワシ保持具の右側部の要部断面図である。
【図７】本発明、図５のタワシ保持具の棚に、側部が幅厚の長方形のタワシが、横長に立てられてシンク壁面に傾斜して保持されている状態のタワシ保持具の右側部要部断面図である。
【図８】本発明、図５のタワシ保持具の棚に、側部が幅薄の長方形のタワシが、横長に立てられてシンク壁面に傾斜して保持されている状態のタワシ保持具の右側部要部断面図である。
【発明を実施するための形態】
【００１３】
以下、本発明の実施の形態について図面を参照して説明する。
本発明は、図１，図５におけるように、タワシを置く棚と、其の固定具とで構成され、シンク壁面を取付面として装着されるタワシ保持具である。
使用方法は、取付面であるシンク壁面に装着された該タワシ保持具の棚に、タワシ側部の任意の面を底面にし、タワシを立てた状態で、タワシ保持具の棚に置き、そして、棚に立てて置かれたタワシをシンク壁面に傾斜させてタワシを保持する。
【００１４】
上述において、タワシを立てた状態で棚に置くと、タワシがシンク壁面に傾斜するのは、棚に設けられた構造により、タワシの重心がシンク壁面方向に傾斜して移動することによるものであり、タワシをシンク壁面に傾斜させる構造が、該タワシ保持具の棚に設けられることが特徴である。
【００１５】
上述の、棚の構造の具体例としては、図１のように棚の正面がＬ字形状の棚の内側に段差が設けられた棚構造とするか、あるいは、図５のようにＬ字形状の棚を傾斜させた棚構造とするか、あるいは、棚に立てて置かれたタワシをタワシ保持具の取付面に傾斜させるための他の構造よりなる棚であってもかまわない。
【００１６】
該タワシ保持具では、長方形や楕円形、丸形の形状よりなるスポンジタワシや金属製タワシ、亀の子タワシ等のキッチン用タワシが使用可能である。
【実施例】
【００１７】
該タワシ保持具を構成する棚の寸法は、タワシを立てて置いて、シンク壁面に傾斜させてタワシを保持することにより、棚寸法の縮小が可能となり、例えば図１においては、縦２５mm×横６０mm程度の小さい棚面積となり、狭いシンク内に設置しても、洗い作業の邪魔にならないものと考えられる。
【００１８】
タワシ保持具を構成する棚は、樹脂成型材や金属加工材よりなるが、線状体よりなる構造の棚でも可能である。
【００１９】
該タワシ保持具を構成する固定具は、吸盤や磁石を用いるが、シンクの材質が１８−８ステンレス鋼製の場合には、磁性がなくて磁石が付かず、当然ながら磁石の固定具は使用できない。
【符号の説明】
【００２０】
１・５・９・１５          シンク壁面Ａ
２・６・１４・２０        吸盤
３・７・１２・１８        段差
４・８・１３・１９        棚Ａ
１０                      側部Ａ
１１                      タワシＡ
１６                      側部Ｂ
１７                      タワシＢ
２１・２３・２６・３１    シンク壁面Ｃ
２２・２４・２９・３４    棚Ｃ
２５・３０・３５          磁石
２７                      側部Ｃ
２８                      タワシＣ
３２                      側部Ｄ
３３                      タワシＤ
【図１】
2011036352.tif 000003
【図２】
2011036352.tif 000004
【図３】
2011036352.tif 000005
【図４】
2011036352.tif 000006
【図５】
2011036352.tif 000007
【図６】
2011036352.tif 000008
【図７】
2011036352.tif 000009
【図８】
2011036352.tif 000010